(57)【要約】【課題】シートの表示情報についてユーザが確認や設定等する際の利便性を向上できる画像形成装置を提供するものである。【解決手段】前記制御部は、前記給紙部に対するシートの着脱に関する状態の変化を検知する第１の検知処理と、前記着脱される部材の前記装置本体への着脱に関する状態の変化を検知する第２の検知処理と、を行い、前記第１の検知処理にて前記給紙部に対するシートの着脱に関する状態の変化を検知した場合に、当該給紙部に供給されるシートの種類に関する設定を促す情報を表示情報として、前記表示部に表示し、設定を受け付け、所定時間計時すると、前記表示情報を前記表示部から消去する。前記表示情報の表示中に前記第２の検知処理にて前記着脱される部材の着脱に関する状態の変化を検知した場合には、前記表示情報を前記表示部に表示する時間を長くする遅延処理を行うことを特徴とする。【選択図】図４
2015085523.tif 000002
【特許請求の範囲】
【請求項１】
装置本体と、
給紙部と、
前記給紙部から給紙されたシートに画像を形成する画像形成部と、
前記給紙部に対するシートの着脱に関する状態に応じた信号を出力する第１のセンサと、
前記装置本体に対して着脱される部材の前記装置本体への着脱に関する状態に応じた信号を出力する第２のセンサと、
表示部と、
制御部と、を備え、
前記制御部は、
前記第１のセンサによって出力される信号によって、前記給紙部に対するシートの着脱に関する状態の変化を検知する第１の検知処理と、
前記第２のセンサによって出力される信号によって、前記着脱される部材の前記装置本体への着脱に関する状態の変化を検知する第２の検知処理と、
前記第１の検知処理にて前記給紙部に対するシートの着脱に関する状態の変化を検知した場合に、当該給紙部に供給されるシートの種類に関する設定を促す情報を表示情報として、前記表示部に表示する表示処理と、
前記表示情報の表示中、前記給紙部に供給されるシートに関して設定を受け付ける設定処理と、
前記表示処理にて前記表示情報を前記表示部に表示した後、計時を開始する計時処理と、
前記計時処理にて所定時間計時すると、前記表示情報を前記表示部から消去する消去処理と、
前記表示情報の表示中に前記第２の検知処理にて前記着脱される部材の着脱に関する状態の変化を検知した場合には、前記表示情報の表示中に前記第２の検知処理にて前記着脱される部材の着脱に関する状態の変化を検知しない場合よりも、前記表示情報を前記表示部に表示する時間を長くする遅延処理を行う、画像形成装置。
【請求項２】
前記給紙部を複数備え、
前記第１のセンサは、前記給紙部の１つである第１の給紙部に対するシートの着脱に関する状態に応じた信号を出力し、
前記第２のセンサは、前記第１の給紙部以外の給紙部である第２の給紙部に対するシートの着脱に関する状態に応じた信号を出力し、
前記制御部は、前記遅延処理において、前記第１の給紙部に対応する表示情報の表示中に、前記第２の検知処理にて、前記第２の給紙部に対するシートの着脱に関する状態の変化を検知した場合には、前記第２の検知処理にて、前記第２の給紙部に対するシートの着脱に関する状態の変化を検知しない場合よりも、前記第１の給紙部に対応する表示情報を、前記表示部に表示する時間を長くする、請求項１に記載の画像形成装置。
【請求項３】
前記制御部は、
前記第２の検知処理にて前記第２の給紙部に対するシートの着脱に関する状態の変化を検知した場合に、前記第２の給紙部に供給されるシートの種類に関する設定を促す情報を表示情報として、前記表示部に表示する第２の表示処理を行い、
前記遅延処理において、前記第１の給紙部に対応する表示情報の表示中に、前記第２の給紙部に対応する表示情報が表示中である場合には、前記第２の給紙部に対応する表示情報が表示中でない場合よりも、前記第１の給紙部に対応する表示情報を前記表示部に表示する時間を長くする、請求項２に記載の画像形成装置。
【請求項４】
前記制御部は、前記第１の給紙部に対応する表示情報、及び前記第２の給紙部に対応する表示情報とを、少なくとも一部が重なった状態で表示する、請求項３に記載の画像形成装置。
【請求項５】
前記制御部は、前記遅延処理において、前記第１の給紙部に対応する表示情報の前面に前記第２の給紙部に対応する表示情報が表示中である場合には、前記第２の給紙部に対応する表示情報の表示を消去してから、前記第１の給紙部に対応する表示情報を消去するように、前記第１の給紙部に対応する表示情報を表示する時間を長くする、請求項４に記載の画像形成装置。
【請求項６】
前記制御部は、前記遅延処理において、前記第１の給紙部に対応する表示情報の背面に前記第２の給紙部に対応する表示情報が表示中である場合には、前記第２の給紙部に対応する表示情報の表示を消去する前に、前記第１の給紙部に対応する表示情報を消去するように、前記第１の給紙部に対応する表示情報を表示する時間を長くする、請求項４に記載の画像形成装置。
【請求項７】
前記制御部は、新しく表示される表示情報を、表示中の表示情報の最も背面に表示する、請求項５に記載の画像形成装置。
【請求項８】
表示中の表示情報の表示順序を記憶する記憶部を備え、
前記制御部は、前記遅延処理において、前記第１の給紙部に対応する表示情報の表示順序よりも前記表示順序が前である前記第２の給紙部に対応する表示情報が存在するか否かを判断することにより、前記第１の表示情報の前面に前記第２の給紙部に対応する表示情報が表示されているか否かを判断する、請求項７に記載の画像形成装置。
【請求項９】
前記第１のセンサは、前記装置本体に対し着脱可能な前記給紙部の着脱に応じた信号を出力する着脱センサを有し、
前記制御部は、前記第１の検知処理において、前記着脱センサによって、前記給紙部が前記装置本体に対して装着の状態であることに応じた信号を検出している場合に、脱離の状態であることに応じた信号を検出することによって、前記給紙部の状態の変化を検知する、請求項１から８のいずれかに記載の画像形成装置。
【請求項１０】
前記第１のセンサは、前記装置本体に対し着脱可能な前記給紙部の着脱に応じた信号を出力する着脱センサを有し、
前記制御部は、前記計時処理にて計時を開始するタイミングを、前記着脱センサによって、前記給紙部が前記装置本体に対して脱離の状態であることに応じた信号を検出している場合に、装着の状態であることに応じた信号を検出したタイミングとする請求項１から９のいずれかに記載の画像形成装置。
【請求項１１】
前記制御部は、前記計時処理にて計時を開始するタイミングにおいて、前記遅延処理を行う、請求項１から１０のいずれかに記載の画像形成装置。
【請求項１２】
前記制御部は、前記遅延処理において、前記計時処理にて計時を開始するタイミングを遅らせることによって、前記表示情報を前記表示部に表示する時間を長くする、請求項１から１１のいずれかに記載の画像形成装置。
【請求項１３】
前記給紙部から給紙されたシートに、前記画像形成部において画像を形成するための記録材を格納する格納容器を収容する収容部を備え、
前記着脱される部材は、前記格納容器である、請求項１に記載の画像形成装置。
【発明の詳細な説明】
【技術分野】
【０００１】
本発明は、給紙部に収容されたシートの情報を表示する表示部を備えた画像形成装置に関する。
【背景技術】
【０００２】
従来の画像形成装置において、例えば特許文献１のように、給紙部の、装置本体への格納または装置本体からの取り出しに応じて、給紙部に収容されたシートの情報を表示部に表示し、給紙部に収容されたシートの情報を新たに設定し直すことをユーザに促すものが開示されている。
【先行技術文献】
【特許文献】
【０００３】
【特許文献１】特開2002-278377号公報
【発明の概要】
【発明が解決しようとする課題】
【０００４】
上記従来例のような構成に加えて、ユーザが、給紙部に収容されたシートの情報を新たに設定し直さない場合等の利便性に配慮して、シートの情報の表示部への表示を所定時間経過後に消去する構成を備える場合がある。しかしながら、そのような構成を備える場合においては、シートの情報の表示について、ユーザが確認や設定等する前に消去されてしまうことがあった。
【０００５】
本発明は上述した問題点を解決するためになされたものであり、シートの表示情報についてユーザが確認や設定等する際の利便性を向上できる画像形成装置を提供するものである。
【課題を解決するための手段】
【０００６】
この目的を達成するためになされた本発明の画像形成装置は、装置本体と、給紙部と、前記給紙部から給紙されたシートに画像を形成する画像形成部と、前記給紙部に対するシートの着脱に関する状態に応じた信号を出力する第１のセンサと、前記装置本体に対して着脱される部材の前記装置本体への着脱に関する状態に応じた信号を出力する第２のセンサと、表示部と、制御部と、を備え、前記制御部は、前記第１のセンサによって出力される信号によって、前記給紙部に対するシートの着脱に関する状態の変化を検知する第１の検知処理と、前記第２のセンサによって出力される信号によって、前記着脱される部材の前記装置本体への着脱に関する状態の変化を検知する第２の検知処理と、前記第１の検知処理にて前記給紙部に対するシートの着脱に関する状態の変化を検知した場合に、当該給紙部に供給されるシートの種類に関する設定を促す情報を表示情報として、前記表示部に表示する表示処理と、前記表示情報の表示中、前記給紙部に供給されるシートに関して設定を受け付ける設定処理と、前記表示処理にて前記表示情報を前記表示部に表示した後、計時を開始する計時処理と、前記計時処理にて所定時間計時すると、前記表示情報を前記表示部から消去する消去処理と、前記表示情報の表示中に前記第２の検知処理にて前記着脱される部材の着脱に関する状態の変化を検知した場合には、前記表示情報の表示中に前記第２の検知処理にて前記着脱される部材の着脱に関する状態の変化を検知しない場合よりも、前記表示情報を前記表示部に表示する時間を長くする遅延処理を行うことを特徴とする。
【０００７】
このようにすれば、シートの表示情報についてユーザが確認や設定等する際の利便性を向上できる。
【０００８】
また、前記給紙部を複数備え、前記第１のセンサは、前記給紙部の１つである第１の給紙部に対するシートの着脱に関する状態に応じた信号を出力し、前記第２のセンサは、前記第１の給紙部以外の給紙部である第２の給紙部に対するシートの着脱に関する状態に応じた信号を出力し、前記制御部は、前記遅延処理において、前記第１の給紙部に対応する表示情報の表示中に、前記第２の検知処理にて、前記第２の給紙部に対するシートの着脱に関する状態の変化を検知した場合には、前記第２の検知処理にて、前記第２の給紙部に対するシートの着脱に関する状態の変化を検知しない場合よりも、前記第１の給紙部に対応する表示情報を、前記表示部に表示する時間を長くするものであってもよい。
【０００９】
このようにすれば、ユーザが、シートの表示情報を表示した給紙部と異なる給紙部に関する動作を行っている場合においても、シートの表示情報についてユーザが確認や設定等する際の利便性を向上できる。
【００１０】
また、前記制御部は、前記第２の検知処理にて前記第２の給紙部に対するシートの着脱に関する状態の変化を検知した場合に、前記第２の給紙部に供給されるシートの種類に関する設定を促す情報を表示情報として、前記表示部に表示する第２の表示処理を行い、前記遅延処理において、前記第１の給紙部に対応する表示情報の表示中に、前記第２の給紙部に対応する表示情報が表示中である場合には、前記第２の給紙部に対応する表示情報が表示中でない場合よりも、前記第１の給紙部に対応する表示情報を前記表示部に表示する時間を長くするものであってもよい。
【００１１】
このようにすれば、複数の表示情報が表示中である場合にも、シートの表示情報についてユーザが確認や設定等する際の利便性を向上できる。
【００１２】
また、前記制御部は、前記第１の給紙部に対応する表示情報、及び前記第２の給紙部に対応する表示情報とを、少なくとも一部が重なった状態で表示するものであってもよい。
【００１３】
このようにすれば、異なる表示情報の少なくとも一部が重なって表示される構成において、シートの表示情報についてユーザが確認や設定等する際の利便性を向上できる。
【００１４】
また、前記制御部は、前記遅延処理において、前記第１の給紙部に対応する表示情報の前面に前記第２の給紙部に対応する表示情報が表示中である場合には、前記第２の給紙部に対応する表示情報の表示を消去してから、前記第１の給紙部に対応する表示情報を消去するように、前記第１の給紙部に対応する表示情報を表示する時間を長くするものであってもよい。
【００１５】
このようにすれば、前面に他のシートの表示情報が表示されているシートの表示情報について、ユーザが確認や設定等する際の利便性を向上できる。
【００１６】
また、前記制御部は、前記遅延処理において、前記第１の給紙部に対応する表示情報の背面に前記第２の給紙部に対応する表示情報が表示中である場合には、前記第２の給紙部に対応する表示情報の表示を消去する前に、前記第１の給紙部に対応する表示情報を消去するように、前記第１の給紙部に対応する表示情報を表示する時間を長くするものであってもよい。
【００１７】
このようにすれば、背面に他のシートの表示情報が表示されているシートの表示情報について、ユーザが確認や設定等する際の利便性を向上できる。
【００１８】
また、前記制御部は、新しく表示される表示情報を、表示中の表示情報の最も背面に表示するものであってもよい。
【００１９】
このようにすれば、新しく表示される表示情報ほど背面に表示する構成において、シートの表示情報についてユーザが確認や設定等する際の利便性を向上できる。
【００２０】
また、表示中の表示情報の表示順序を記憶する記憶部を備え、前記制御部は、前記遅延処理において、前記第１の給紙部に対応する表示情報の表示順序よりも前記表示順序が前である前記第２の給紙部に対応する表示情報が存在するか否かを判断することにより、前記第１の表示情報の前面に前記第２の給紙部に対応する表示情報が表示されているか否かを判断するものであってもよい。
【００２１】
このようにすれば、表示順序の早さを考慮することによって、前面に他のシートの表示情報が表示されていると判断されるシートの表示情報について、ユーザが確認や設定等する際の利便性を向上できる。
【００２２】
また、前記第１のセンサは、前記装置本体に対し着脱可能な前記給紙部の着脱に応じた信号を出力する着脱センサを有し、前記制御部は、前記第１の検知処理において、前記着脱センサによって、前記給紙部が前記装置本体に対して装着の状態であることに応じた信号を検出している場合に、脱離の状態であることに応じた信号を検出することによって、前記給紙部の状態の変化を検知するものであってもよい。
【００２３】
このようにすれば、給紙部が、開状態に変化することにより、シートの表示情報を表示する構成において、シートの表示情報について、ユーザが確認や設定等する際の利便性を向上できる。
【００２４】
また、前記第１のセンサは、前記装置本体に対し着脱可能な前記給紙部の着脱に応じた信号を出力する着脱センサを有し、前記制御部は、前記計時処理にて計時を開始するタイミングを、前記着脱センサによって、前記給紙部が前記装置本体に対して脱離の状態であることに応じた信号を検出している場合に、装着の状態であることに応じた信号を検出したタイミングとするものであってもよい。
【００２５】
このようにすれば、給紙部が閉状態に変化した際に、シートの表示情報を消去する時間までの計時を開始する構成において、シートの表示情報について、ユーザが確認や設定等する際の利便性を向上できる。
【００２６】
また、前記制御部は、前記計時処理にて計時を開始するタイミングにおいて、前記遅延処理を行うものであってもよい。
【００２７】
このようにすれば、シートの表示情報を消去するまでの計時を開始する際に、シートの表示情報を表示する時間を長くする処理を実行する構成において、シートの表示情報について、ユーザが確認や設定等する際の利便性を向上できる。
【００２８】
また、前記制御部は、前記遅延処理において、前記計時処理にて計時を開始するタイミングを遅らせることによって、前記表示情報を前記表示部に表示する時間を長くするものであってもよい。
【００２９】
このようにすれば、シートの表示情報を消去するまでの計時を開始するタイミングを遅らせることによって、シートの表示情報を表示する時間を長くする構成において、シートの表示情報について、ユーザが確認や設定等する際の利便性を向上できる。
【００３０】
また、前記給紙部から給紙されたシートに、前記画像形成部において画像を形成するための記録材を格納する格納容器を収容する収容部を備え、前記着脱される部材は、前記格納容器であるものであってもよい。
【００３１】
このようにすれば、ユーザが、記録材の交換に関する動作を行っている場合においても、シートの表示情報についてユーザが確認や設定等する際の利便性を向上できる。
【発明の効果】
【００３２】
本発明によれば、シートの表示情報についてユーザが確認や設定等する際の利便性を向上できる。
【図面の簡単な説明】
【００３３】
【図１】本発明の実施の形態に係るプリンタ１００の構成を示す説明図である。
【図２】ディスプレイ４１に表示される設定画面４５Ａ及び４５Ｂの例を示す概略的な図である。
【図３】プリンタ１００の電気的構成を概略的に示すブロック図である。
【図４】プリンタ１００が行う設定画面表示処理のフローチャートである。
【図５】（ａ）は、脱離順序テーブルを表す概略的な図である。（ｂ）は、図５（ａ）と異なる脱離された順序の脱離順序テーブルを表す概略的な図である。
【図６】プリンタ１００が行う、第１実施例とは異なる設定画面表示処理のフローチャートである。
【発明を実施するための形態】
【００３４】
以下、本発明を具体化した実施の形態について、添付図面を参照しつつ詳細に説明する。
【００３５】
（第１実施例）
［プリンタの全体構成］
図１は、本発明の実施の形態に係るプリンタ１００（画像形成装置の一例）の構成を示す説明図である。
【００３６】
図２は、ディスプレイ４１に表示される設定画面４５Ａ及び４５Ｂの例を示す概略的な図である。
【００３７】
本形態のプリンタ１００は、図１に示すように、本体筐体１１０（装置本体の一例）と、印刷部１０（画像形成部の一例）と、操作パネル４０と、給紙トレイ５１Ａ、５１Ｂ、５１Ｃ、５１Ｄ（給紙部の一例）と、を主に備えている。以下、適宜符号を省略する。
【００３８】
印刷部１０は、本体筐体１１０の内部に位置し、周知の電子写真方式によって用紙Ｓ（着脱される部材の一例）にトナー像を形成するプロセス部５と、用紙Ｓをプロセス部５に沿って搬送する搬送ベルト７と、形成されたトナー像を用紙Ｓに定着させる定着部８とを主に備えている。この印刷部１０により、用紙Ｓへの所望の画像の印刷が可能になっている。
【００３９】
操作パネル４０は、本体筐体１１０の上面に位置しており、ディスプレイ４１（図２）と、スタートキー、ストップキー、テンキー等から構成されるボタン群とを備えている。この操作パネル４０によりプリンタ１００の動作状況の表示やユーザによる入力操作が可能になっている。ユーザによる入力操作とは、例えば、印刷部１０に印刷を行わせる指示である印刷指示の他、各給紙トレイ５１に対応した設定画面４５（図２）がディスプレイ４１に表示されている際の、各給紙トレイ５１に供給される用紙Ｓの種類に関する設定の入力等である。なお、ディスプレイ４１は本発明の表示部の一例であり、設定画面４５は、本発明の表示情報の一例である。
【００４０】
給紙トレイ５１は、本体筐体１１０の下部及び前部に位置し、画像の形成に供される用紙Ｓを積載する。本形態のプリンタ１００は、給紙トレイ５１として、本体筐体１１０の下部に位置するトレイ５１Ａ、トレイ５１Ｂ、トレイ５１Ｃ、及び本体筐体１１０の前部に位置するＭＰトレイ５１Ｄの４つを有している。トレイ５１Ａ、トレイ５１Ｂ、トレイ５１Ｃは、本体筐体１１０に対してそれぞれ前方向に引き出し可能、かつ、引き出した後本体筐体１１０に対して装着可能に構成されている。トレイ５１Ａ、５１Ｂ、５１Ｃが本体筐体１１０に対して引き出されている状態においては、トレイ５１Ａ、５１Ｂ、５１Ｃは、ユーザによって用紙Ｓを載置されることが可能である。また、トレイ５１Ａ、５１Ｂ、５１Ｃが本体筐体１１０に対して装着されている状態においては、プリンタ１００は、トレイ５１Ａ、５１Ｂ、５１Ｃから用紙Ｓを給紙することが可能である。
【００４１】
また、ＭＰトレイ５１Ｄは、ユーザによって用紙Ｓを載置されることが可能である。
【００４２】
各給紙トレイ５１Ａ、５１Ｂ、５１Ｃ、５１Ｄには、それぞれ、載置されている用紙Ｓを搬送路１１に引き出す給紙ローラ７１Ａ、７１Ｂ、７１Ｃ、７１Ｄが設けられている。印刷部１０にて印刷に使用される用紙Ｓは、トレイ５１Ａ、トレイ５１Ｂ、トレイ５１Ｃ、ＭＰトレイ５１Ｄのいずれかから対応する給紙ローラ７１Ａ、７１Ｂ、７１Ｃ、７１Ｄによって給紙され、搬送路１１を通ってプロセス部５に搬送され、印刷部１０の各構成要素によって印刷される。図１中では、搬送路１１を一点鎖線で示している。また、搬送路１１中には、用紙Ｓを搬送する搬送ローラ７４、７５が設けられており、いずれかの給紙トレイ５１から給紙された用紙Ｓを印刷部１０に搬送し、印刷部１０によって印刷された後に本体筐体１１０外の上部に排出する。なお、搬送路１１は、各給紙トレイ５１から搬送ローラ７５によって搬送を終了する位置まで延びている。
【００４３】
［設定画面］
続いて、設定画面４５について、図２を用いてより詳しく説明を行う。
【００４４】
図２は、ディスプレイ４１に表示される設定画面４５Ａ及び４５Ｂの例を示す概略的な図である。
【００４５】
なお、ここでは設定画面４５Ａ及び４５Ｂを例として図示しているが、他の設定画面４５についても以下に説明する構成は同じである。
【００４６】
設定画面４５は、対応する給紙トレイ５１に供給される用紙Ｓの種類（サイズ、タイプ等）について設定を行うための表示画面である。プリンタ１００は、各給紙トレイ５１に供給される用紙Ｓの種類を検知するセンサ等を備えていないため、ユーザは、各給紙トレイ５１に供給する用紙Ｓの種類について設定を行う必要がある。
【００４７】
設定画面４５は、対応する給紙トレイ５１が本体筐体１１０に対して引き出される、もしくは用紙Ｓが載置される等、用紙Ｓが交換される、または交換されたと考えられるような状況において表示される。
【００４８】
設定画面４５は、図２に示すように、対応する給紙トレイ５１の現在の用紙Ｓの種類の設定状態の表示を行うとともに、ユーザの入力操作を受け付けて用紙Ｓの種類を変更し、設定ボタン４５ｉを選択されることにより設定完了することが可能な構成となっている。また、設定を変更しない場合には、消去ボタン４５ｊを選択することで、設定を変更せずに設定画面４５の消去を行うことが可能である。
【００４９】
設定画面４５は、消去ボタン４５ｊを選択する以外にも、一定時間経過することによっても、操作パネル４０から消去される。このような構成によって、ユーザが用紙の種類の情報の設定のし直しを不要と考えた場合には、わざわざ消去ボタン４５ｊを選択等して設定画面４５を消去しなくても、一定時間経過することで設定画面４５を消去することができる。
【００５０】
ユーザから受け付けた印刷指示において給紙トレイ５１の指定がない場合、プリンタ１００が給紙トレイ５１を選択して印刷を行う。具体的にプリンタ１００は、上述のように設定された、各給紙トレイ５１に供給されている用紙Ｓの種類を参照して、印刷データに対応した用紙Ｓの種類の設定と合致する用紙Ｓの種類が設定されている給紙トレイ５１を選択し、給紙を行う。
【００５１】
なお、本実施例では、設定画面４５が複数表示される場合には図２に示すように、一部重ねて表示がされるが、このような構成に限られない。例えば、完全に重なるように表示がなされる構成であってもよい。また、全く重ならないように表示がなされる構成であってもよい。
【００５２】
［プリンタの電気的構成］
続いて、プリンタ１００の電気的構成について説明する。プリンタ１００は、図３に示すように、ＣＰＵ３１（制御部の一例）と、ＲＯＭ３２と、ＲＡＭ３３と、不揮発性記憶部３４と、印刷部１０と、操作パネル４０と、ネットワークインターフェース（以下、ネットワークＩ／Ｆと称す）３７と、ＵＳＢインターフェース（以下、ＵＳＢ  Ｉ／Ｆと称す）３８と、検知部６０（第１のセンサ、第２のセンサの一例）と、計測部８０とを主に備えている。
【００５３】
ＲＯＭ３２には、プリンタ１００を制御するための各種制御プログラムや各種設定、初期値等が記憶されている。
【００５４】
ＲＡＭ３３は、各種制御プログラムが読み出される作業領域として、あるいは、データを一時的に記憶する記憶領域として利用される。ＣＰＵ３１は、ＲＯＭ３２から読み出した制御プログラムに従って、その処理結果をＲＡＭ３３または不揮発性記憶部３４に記憶させながら、プリンタ１００の各構成要素を制御する。ＲＡＭ３３は特に、トレイ５１Ａ、５１Ｂ、５１Ｃに対応して着脱フラグ６２Ａ、６２Ｂ、６２Ｃと、トレイ５１Ａ、トレイ５１Ｂ、トレイ５１Ｃ及びＭＰトレイ５１Ｄに対応して、用紙有無フラグ６５Ａ、６５Ｂ、６５Ｃ、６５Ｄと、トレイ５１Ａ、トレイ５１Ｂ、トレイ５１Ｃ及びＭＰトレイ５１Ｄに対応して、画面表示フラグ６７Ａ、６７Ｂ、６７Ｃ、６７Ｄ及び計時開始フラグ６８Ａ、６８Ｂ、６８Ｃ、６８Ｄが記憶されている。
【００５５】
印刷部１０は、ＣＰＵ３１によって、プロセス部５や搬送ベルト７、定着部８等が制御されることにより給紙トレイ５１から給紙された用紙Ｓに対して印刷を行う。
【００５６】
操作パネル４０は、ＣＰＵ３１によって、図２に示すディスプレイ４１への動作状況の表示を制御される。また、ユーザによる入力操作に応じた信号をＣＰＵ３１に伝達する。
【００５７】
ネットワークＩ／Ｆ３７及びＵＳＢ  Ｉ／Ｆ３８は、通信回線或いはＵＳＢケーブル等を介して外部のコンピュータ（図示しない）等に接続され、相互のデータ通信が可能となっており、例えば印刷部１０に印刷を行わせる印刷指示の受付や、印刷を行う画像データの受信等を行う。
【００５８】
検知部６０は、トレイ５１Ａ、トレイ５１Ｂ、トレイ５１Ｃに対応する着脱センサ６１Ａ、６１Ｂ、６１Ｃ（着脱センサの一例）と、トレイ５１Ａ、トレイ５１Ｂ、トレイ５１Ｃ及びＭＰトレイ５１Ｄに対応する用紙有無センサ６４Ａ、６４Ｂ、６４Ｃ、６４Ｄとを備えている。
【００５９】
着脱センサ６１Ａ、６１Ｂ、６１Ｃは、それぞれトレイ５１Ａ、トレイ５１Ｂ、トレイ５１Ｃの後方に設けられている光学式センサであり、各トレイ５１Ａ、トレイ５１Ｂ、５１Ｃに向けて発光し、各トレイ５１Ａ、トレイ５１Ｂ、５１Ｃとの前後方向の距離に応じて変化する、反射光の強弱に応じて、２通りの信号をＣＰＵ３１に伝達する。特に、それぞれトレイ５１Ａ、トレイ５１Ｂ、トレイ５１Ｃが、脱離状態（脱離の状態の一例）か装着状態（装着の状態の一例）かに応じて、２通りの信号をＣＰＵ３１に伝達する。なお、脱離状態とは、トレイ５１Ａ、トレイ５１Ｂ、５１Ｃについて、本体筐体１１０から一部または全て引き出されている状態であり、装着状態とは、本体筐体１１０に取り付けられ全てが本体筐体１１０内に収容されている状態であるとする。なお、着脱センサ６１は、上記のような構成に限られず、給紙トレイ５１の着脱に応じて信号を伝達する構成であればなんでも良い。ＣＰＵ３１は、着脱センサ６１Ａ、６１Ｂ、６１Ｃの信号によって、着脱フラグ６２Ａ、６２Ｂ、６２Ｃに、対応するトレイ５１Ａ、トレイ５１Ｂ、トレイ５１Ｃが脱離状態である場合には「１」を、トレイ５１Ａ、トレイ５１Ｂ、トレイ５１Ｃが装着状態である場合には「０」をそれぞれ格納する。
【００６０】
用紙有無センサ６４Ａ、６４Ｂ、６４Ｃ、６４Ｄは、それぞれトレイ５１Ａ、トレイ５１Ｂ、トレイ５１Ｃ及びＭＰトレイ５１Ｄの上方に設けられている光学式センサであり、各トレイ５１Ａ、トレイ５１Ｂ、トレイ５１Ｃ及びＭＰトレイ５１Ｄすなわち下方に向けて発光し、反射光の強弱光に応じて、２通りの信号をＣＰＵ３１に伝達する。特に、それぞれトレイ５１Ａ、トレイ５１Ｂ、トレイ５１Ｃ内及びＭＰトレイ５１Ｄ上に用紙Ｓが載置されているか否かに応じて、２通りの信号を、ＣＰＵ３１に伝達する。なお、用紙有無センサ６４Ａ、６４Ｂ、６４Ｃ、６４Ｄは、上記のような構成に限られず、給紙トレイ５１の用紙の有無に応じて信号を伝達する構成であればなんでも良い。ＣＰＵ３１は、用紙有無センサ６４Ａ、６４Ｂ、６４Ｃ、６４Ｄの信号によって、用紙有無フラグ６５Ａ、６５Ｂ、６５Ｃ、６５Ｄに、対応する給紙トレイ５１Ａ、５１Ｂ、５１Ｃ、５１Ｄが用紙有りである場合には「１」を、用紙無しである場合には「０」をそれぞれ格納する。
【００６１】
計測部８０は、ＣＰＵ３１によって計測の開始及び計測の停止が制御されることにより、時間を計測する。
【００６２】
以下、画面表示フラグ６７Ａ、６７Ｂ、６７Ｃ、６７Ｄ及び、計測開始フラグ６８Ａ、６８Ｂ、６８Ｃ、６８Ｄについてより詳しく説明を行う。
【００６３】
まずは、画面表示フラグ６７Ａ、６７Ｂ、６７Ｃ、６７Ｄについて、より詳しく説明を行う。
【００６４】
ＣＰＵ３１は、各画面表示フラグ６７Ａ、６７Ｂ、６７Ｃ、６７Ｄに、各給紙トレイ５１Ａ、５１Ｂ、５１Ｃ、５１Ｄに対応する設定画面４５Ａ、４５Ｂ、４５Ｃ、４５Ｄの表示を行うべきであると判断する場合には「１」を、表示を行うべきでないと判断する場合には「０」を格納する。
【００６５】
ＣＰＵ３１は、後に詳述の設定画面表示処理において、この画面表示フラグ６７の値に応じて、対応する給紙トレイ５１の設定画面４５を操作パネル４０に表示するか否かを決定する。
【００６６】
画面表示フラグ６７に「１」が格納される場合とは、用紙Ｓが交換される、または交換されたと考えられるような場合である。より具体的には、ＣＰＵ３１によって、給紙トレイ５１が脱離された、もしくは用紙無しから用紙有りに変化したと判断される場合である。給紙トレイ５１が脱離されたことは、着脱フラグ６２Ａ、６２Ｂ、６２Ｃの値と着脱センサ６１Ａ、６１Ｂ、６１Ｃから出力される信号によりＣＰＵ３１によって判断される。また、用紙無しから用紙有りに変化したことは、用紙有無フラグ６５Ａ、６５Ｂ、６５Ｃ、６５Ｄの値と用紙有無センサ６４Ａ、６４Ｂ、６４Ｃ、６４Ｄから出力される信号によりＣＰＵ３１によって判断される。
【００６７】
より具体的に、まずは、着脱フラグ６２の値と、着脱センサ６１から出力される信号によって、ＣＰＵ３１が、給紙トレイ５１が脱離されたと判断し画面表示フラグ６７に「１」を格納する場合を、トレイ５１Ａを例として説明する。
【００６８】
ユーザによってトレイ５１Ａが本体筐体１００に対して装着されることによりトレイ５１Ａが装着状態である場合には、着脱センサ６１Ａによって装着状態であることに応じた信号がＣＰＵ３１に伝達され、ＣＰＵ３１は着脱フラグ６２Ａの値を「０」とする。この状況において、ＣＰＵ３１に、着脱センサ６１Ａによって、検知対象のトレイ５１Ａが脱離状態であることに応じた信号が伝達された場合には、ＣＰＵ３１は、検知対象のトレイ５１Ａに対応する着脱フラグ６２Ａの値が「０」であるため、トレイ５１Ａが本体筐体１００に対して脱離されたと判断する。すなわち、トレイ５１Ａが装着状態から脱離状態へ変化したとして、ユーザがトレイ５１Ａを脱離させて用紙Ｓを載置する可能性があると判断する。そしてＣＰＵ３１は、着脱フラグ６２Ａの値を「１」とするとともに、画面表示フラグ６７Ａに、「１」を格納する。なお、この後、操作パネル４０に設定画面４５の表示を行うことにより、ＣＰＵ３１は、画面表示フラグ６７Ａの値を、「１」から「０」に変更する。すなわち、操作パネル４０へ設定画面４５をすでに表示したとして、ＣＰＵ３１は、画面表示フラグ６７Ａの値を、操作パネル４０へ設定画面４５を表示する必要がある状態から表示する必要が無い状態へ変更する。なお以上について、トレイ５１Ｂ、トレイ５１Ｃについても同様である。
【００６９】
また、用紙有無フラグ６５Ａ、６５Ｂ、６５Ｃ、６５Ｄの値と、用紙有無センサ６４Ａ、６４Ｂ、６４Ｃ、６４Ｄから出力される信号によって、ＣＰＵ３１が、用紙無しから用紙有りに変化したと判断し画面表示フラグ６７Ａ、６７Ｂ、６７Ｃ、６７Ｄに「１」を格納する場合を、トレイ５１Ａを例として説明する。
【００７０】
トレイ５１Ａ内の用紙Ｓをすべて印刷させた等によって用紙Ｓが載置されていない状態である場合には、用紙有無センサ６４Ａによって、トレイ５１Ａ内に用紙Ｓが載置されていないことに応じた信号がＣＰＵ３１に伝達され、ＣＰＵ３１は用紙有無フラグ６５Ａの値を「０」とする。この状況において、ＣＰＵ３１に、用紙有無センサ６４Ａによって、検知対象のトレイ５１Ａ内に用紙Ｓが載置されていることに応じた信号が伝達された場合、ＣＰＵ３１は、用紙有無フラグ６５Ａの値が、「０」であるため、トレイ５１Ａへ用紙Ｓが供給されたと判断する。すなわち、トレイ５１Ａ内に用紙Ｓが載置されていない状態から、用紙Ｓが載置されている状態に変化したとして、ユーザがトレイ５１Ａへ用紙Ｓを載置したと判断する。そしてＣＰＵ３１は、用紙有無フラグ６５Ａの値を「１」とするとともに、画面表示フラグ６７Ａに、「１」を格納する。なおトレイ５１Ｂ、トレイ５１Ｃ、ＭＰトレイ５１Ｄについても同様である。
【００７１】
このように、ＣＰＵ３１は、着脱フラグ６２Ａ、６２Ｂ、６２Ｃの値と着脱センサ６１Ａ、６１Ｂ、６１Ｃから出力される信号により給紙トレイ５１が脱離されたことを判断するか、もしくは、用紙有無フラグ６５Ａ、６５Ｂ、６５Ｃ、６５Ｄの値と用紙有無センサ６４Ａ、６４Ｂ、６４Ｃ、６４Ｄから出力される信号により用紙無しから用紙有りに変化したことを判断することにより、各画面表示フラグ６７に「１」を格納する構成である。なお、上記構成に限らず、画面表示フラグ６７の値を、「１」とする場合とは、給紙トレイ５１について用紙Ｓの種類が変更された可能性のある状況であることを検知した場合であれば何でも良い。より具体的には、ＣＰＵ３１によって、給紙トレイ５１の着脱状態の変化が生じた、もしくは用紙有無状態の変化が生じたと判断される場合等である。例えば、着脱フラグ６２の値と着脱センサ６１から出力される信号に応じて画面表示フラグ６７の値を格納する場合であっても、着脱フラグ６２の値が「０」であって着脱センサ６１によって、検知対象のトレイ５１が脱離状態であることに応じた信号が伝達された場合に、画面表示フラグ６７の値を「１」に変更する構成に限られない。着脱フラグ６２の値が「１」であって着脱センサ６１によって、検知対象のトレイ５１が装着状態であることに応じた信号が伝達された場合に、画面表示フラグ６７の値を「１」に変更する構成であってもよい。すなわち、給紙トレイ５１が脱離されたことを検知することで、画面表示フラグ６７の値を「１」とする構成であってもよい。
【００７２】
なお、センサについても、着脱センサ６１や用紙有無センサ６４でなくても、給紙トレイ５１の用紙Ｓの種類が変更された可能性があることを検知するためのセンサであれば何でもよい。
【００７３】
なお、本実施例では、トレイ５１Ａ、トレイ５１Ｂ、トレイ５１Ｃについては、それぞれ着脱フラグ６２Ａ、６２Ｂ、６２Ｃの値が「０」であって着脱センサ６１Ａ、６１Ｂ、６１Ｃから出力される信号が脱離状態である場合に、画面表示フラグ６７Ａ、６７Ｂ、６７Ｃに「１」が格納される構成であるとする。また、ＭＰトレイ５１Ｄについては、用紙有無フラグ６５Ｄの値が「０」であって、用紙有無センサ６４Ｄから出力される信号が用紙有りに応じた信号である場合に、画面表示フラグ６７Ｄに「１」が格納される構成であるとする。すなわち、トレイ５１Ａ、トレイ５１Ｂ、５１Ｃについては脱離されたことにより設定画面４５が表示され、ＭＰトレイ５１Ｄについては用紙が供給されたことにより設定画面４５が表示される構成であるとする。
【００７４】
次に、計測開始フラグ６８Ａ、６８Ｂ、６８Ｃ、６８Ｄについてより詳しく説明を行う。
【００７５】
ＣＰＵ３１は、各計時開始フラグ６８Ａ、６８Ｂ、６８Ｃ、６８Ｄに、各給紙トレイ５１Ａ、５１Ｂ、５１Ｃ、５１Ｄに対応する設定画面４５Ａ、４５Ｂ、４５Ｃ、４５Ｄを消去するまでの時間の計時を開始するべきであると判断する場合には「１」を、開始するべきでないと判断する場合には「０」を格納する。
【００７６】
ＣＰＵ３１は、後に詳述の設定画面表示処理において、計時開始フラグ６８の値に応じて、対応する給紙トレイ５１の設定画面４５の表示を消去するまでの時間の計時を開始するか否かを判断する。
【００７７】
ＣＰＵ３１は、計時開始フラグ６８への「１」の格納を、画面表示フラグ６７と同様に、着脱フラグ６２Ａ、６２Ｂ、６２Ｃの値と着脱センサ６１Ａ、６１Ｂ、６１Ｃから出力される信号、もしくは、用紙有無フラグ６５Ａ、６５Ｂ、６５Ｃ、６５Ｄの値と用紙有無センサ６４Ａ、６４Ｂ、６４Ｃ、６４Ｄから出力される信号のいずれか１組により、決定する。
【００７８】
より具体的に、まずは、着脱フラグ６２Ａ、６２Ｂ、６２Ｃの値と、着脱センサ６１Ａ、６１Ｂ、６１Ｃから出力される信号によって、ＣＰＵ３１が、計時開始フラグ６８Ａ、６８Ｂ、６８Ｃ、６８Ｄに「１」を格納する場合を、トレイ５１Ａを例として説明する。
【００７９】
ユーザによってトレイ５１Ａが本体筐体１００に対して脱離されることによりトレイ５１Ａが脱離状態である場合には、着脱センサ６１Ａによって脱離状態であることに応じた信号がＣＰＵ３１に伝達され、ＣＰＵ３１は着脱フラグ６２Ａの値を「１」とする。この状況において、ＣＰＵ３１に、着脱センサ６１Ａによって、検知対象のトレイ５１Ａが装着状態であることに応じた信号が伝達された場合には、ＣＰＵ３１は、検知対象のトレイ５１Ａに対応する着脱フラグ６２Ａの値が「１」であるため、トレイ５１Ａが本体筐体１００に対して装着されたと判断する。すなわち、トレイ５１Ａが脱離状態から装着状態へ変化したとして、ユーザがトレイ５１Ａを装着させて、用紙Ｓの載置を終了した可能性があると判断する。そしてＣＰＵ３１は、着脱フラグ６２Ａの値を「０」とするとともに、計時開始フラグ６８Ａに、「１」を格納する。そして後に詳述のように特定の条件を加味した後、操作パネル４０に表示された設定画面４５Ａの表示を消去するまでの時間の計時を、計測部８０によって開始することにより、ＣＰＵ３１は、計時開始フラグ６８Ａの値を、「１」から「０」に変更する。すなわち、設定画面４５Ａの表示を消去するまでの時間の計時を開始したとして、ＣＰＵ３１は、計時開始フラグ６８Ａの値を、設定画面４５Ａの表示を消去するまでの時間の計時を開始する必要がある状態から開始する必要が無い状態へ変更する。なお、ユーザによる設定画面４５Ａの設定項目の設定完了操作を受け付けたか、或いは、設定画面４５Ａを操作パネル４０から消去する操作を受け付けたこと等によって、設定画面４５Ａが表示されていない場合には、計測部８０によって計時を開始せずに、計時開始フラグ６８Ａの値を「０」へ変更する。ＣＰＵ３１は、設定画面４５Ａの表示を消去するまでの時間の計時を開始した後、上述の理由により設定画面４５Ａが操作パネル４０から消去されている場合を除き、設定画面４５の表示を消去するまでの時間経過したと判断する場合には、設定画面４５を操作パネル４０から消去する。以上について、トレイ５１Ｂ、トレイ５１Ｃについても同様である。なお、設定画面４５の表示を消去するまでの時間の初期値は、すべての給紙トレイ５１に対応する設定画面４５について、例えば３０秒である。但し、後に詳述の設定画面表示処理において、変化する可能性がある。
【００８０】
また、用紙有無フラグ６５Ａ、６５Ｂ、６５Ｃ、６５Ｄの値と、用紙有無センサ６４Ａ、６４Ｂ、６４Ｃ、６４Ｄから出力される信号によって、ＣＰＵ３１が、計時開始フラグ６８Ａ、６８Ｂ、６８Ｃ、６８Ｄに「１」を格納する場合を、トレイ５１Ａを例として説明する。
【００８１】
トレイ５１Ａ内の用紙Ｓをすべて印刷させた等によって用紙Ｓが載置されていない状態である場合には、用紙有無センサ６４Ａによって、トレイ５１Ａ内に用紙Ｓが載置されていないことに応じた信号がＣＰＵ３１に伝達され、ＣＰＵ３１は用紙有無フラグ６５Ａの値を「０」とする。この状況において、ＣＰＵ３１に、用紙有無センサ６４Ａによって、検知対象のトレイ５１Ａ内に用紙Ｓが載置されていることに応じた信号が伝達された場合、ＣＰＵ３１は、用紙有無フラグ６５Ａの値が、「０」であるため、トレイ５１Ａへ用紙Ｓが供給されたと判断する。すなわち、トレイ５１Ａ内に用紙Ｓが載置されていない状態から、用紙Ｓが載置されている状態に変化したとして、ユーザがトレイ５１Ａへ用紙Ｓを載置したと判断する。そしてＣＰＵ３１は、用紙有無フラグ６５Ａの値を「１」とするとともに、計時開始フラグ６８Ａに、「１」を格納する。なおトレイ５１Ｂ、トレイ５１Ｃ、ＭＰトレイ５１Ｄについても同様である。
【００８２】
このように、ＣＰＵ３１は、各計時開始フラグ６８に、それぞれ着脱フラグ６２の値と着脱センサ６１から出力される信号、もしくは、用紙有無フラグ６５の値と用紙有無センサ６４から出力される信号のいずれか１組により、「１」を格納する構成である。なお、計時開始フラグ６８の値を、「１」とする場合とは、設定画面４５の表示を消去するまでの時間の計時を開始するべきと判断されるような状況であることを検知した場合であれば何でも良い。例えば、着脱フラグ６２の値が「０」であって着脱センサ６１によって、検知対象のトレイ５１が脱離状態であることに応じた信号が伝達された場合に、画面表示フラグ６７の値を「１」に変更するとともに、計時開始フラグ６８の値を「１」に変更する構成であってもよい。なお、本実施例では、トレイ５１Ａ、トレイ５１Ｂ、トレイ５１Ｃについては、それぞれ着脱フラグ６２Ａ、６２Ｂ、６２Ｃの値が「１」であって着脱センサ６１Ａ、６１Ｂ、６１Ｃから出力される信号が装着状態である場合に、ＣＰＵ３１は、対応する計時開始フラグ６８に「１」を格納する構成であるとする。また、ＭＰトレイ５１Ｄについては、用紙有無フラグ６５Ｄの値が「０」であって、用紙有無センサ６４Ｄから出力される信号が用紙有りに応じた信号である場合に、ＣＰＵ３１は、計時開始フラグ６８Ｄに「１」を格納する構成であるとする。すなわち、トレイ５１Ａ、５１Ｂ、５１Ｃについては本体筐体１１０に対して装着されたことにより設定画面４５の表示を消去するまでの時間の計時が開始され、ＭＰトレイ５１Ｄについては用紙が供給されたことにより設定画面４５の表示を消去するまでの時間の計時が開始される構成であるとする。
【００８３】
以上、ＣＰＵ３１は、検知部６０から出力される信号を基に、給紙トレイ５１に対応する画面表示フラグ６７が、「１」に変更されるような状況（状態の変化の一例）が起こったことを検知する表示開始検知処理（第１の検知処理、第２の検知処理の一例）と、計時を開始するための計時開始検知処理を行う。
【００８４】
［設定画面表示機能］
以下、プリンタ１００の、操作パネル４０に設定画面４５を表示し、操作パネル４０から設定画面４５を消去する設定画面表示機能に係る設定画面表示処理について、図４を参照しつつ説明する。
【００８５】
図４はプリンタ１００が行う設定画面表示処理のフローチャートである。
【００８６】
設定画面表示処理は、プリンタ１００の電源がＯＮされると、ＣＰＵ３１により、各給紙トレイ５１ごとに実行される。以下、トレイ５１Ａを例として説明を行う。なお、トレイ５１Ｂ、トレイ５１Ｃ及びＭＰトレイ５１Ｄについても、トレイ５１Ａの場合と同様の処理が実行可能である。
【００８７】
設定画面表示処理が開始されると、まずＣＰＵ３１は、画面表示フラグ６７Ａおよび計時開始フラグ６８Ａに「０」を格納することにより、プリンタ１００の電源ＯＮによる、フラグの初期化を行う（Ｓ９５）。
【００８８】
そして、ＣＰＵ３１は、前述の表示開始検知処理によって、画面表示フラグ６７Ａに、「１」が格納されているか否かを判断することによって、トレイ５１Ａ（第１の給紙部の一例）が脱離状態に変化したことにより設定画面４５Ａの表示を行うべきであるか否かを判断する（Ｓ１００）。
【００８９】
画面表示フラグ６７Ａに「１」が格納されているとして、トレイ５１Ａが脱離状態に変化したことにより、設定画面４５Ａの表示を行うべきであると判断する場合（Ｓ１００：ＹＥＳ）、ＣＰＵ３１は、トレイ５１Ａに対応する設定画面４５Ａの操作パネル４０への表示を開始する（Ｓ１０５）。そして、画面表示フラグ６７Ａの値を「０」に変更し、Ｓ１１０の処理へ移行する。
【００９０】
一方、画面表示フラグ６７Ａに「０」が格納されているとして、トレイ５１Ａが脱離状態に変化していないことにより、設定画面４５Ａの表示を行うべきでないと判断する場合（Ｓ１００：ＮＯ）、ＣＰＵ３１は、設定画面４５Ａの表示を行わずに、Ｓ１１０の処理へ移行する。
【００９１】
Ｓ１１０の処理においては、前述の計時開始検知処理によって、計時開始フラグ６８Ａに「１」が格納されているか否かを判断することによって、トレイ５１Ａが装着状態に変化したことにより設定画面４５Ａの表示を消去するまでの時間の計時を開始すべきであるか否かを判断する（Ｓ１１０）。
【００９２】
計時開始フラグ６８Ａに「１」が格納されていると判断することによって、トレイ５１Ａが装着状態に変化したことにより設定画面４５Ａを消去するまでの時間の計時を開始すべきであると判断する場合（Ｓ１１０：ＹＥＳ）、ＣＰＵ３１は、トレイ５１Ａ以外の少なくとも１つのトレイ５１Ａ、トレイ５１Ｂ、トレイ５１Ｃ、すなわちトレイ５１Ｂもしくはトレイ５１Ｃの少なくともいずれか一方（第２の給紙部の一例）に対応する着脱フラグ６２Ｂ、６２Ｃの値が、「１」となっているかを判断することにより、トレイ５１Ａ以外の少なくとも１つの給紙トレイ５１が、装置本体に対して脱離されているか否かを判断する（Ｓ１１５）。なお、Ｓ１１０：ＹＥＳとなった時間は、本発明の計時を開始するタイミングの一例である。また、Ｓ１１５の処理は、トレイ５１Ａ以外の複数の給紙トレイ５１に対応する着脱フラグ６２の値が「１」となっているかを判断してもよいし、トレイ５１Ａ以外の特定の給紙トレイ５１に対応する着脱フラグ６２の値が「１」となっているかを判断してもよい。すなわち、トレイ５１Ａ以外の特定あるいは任意の、任意の個数の給紙トレイ５１に対応する着脱フラグ６２の値が「１」となっているかを判断してもよい。
【００９３】
トレイ５１Ａ以外のすべての給紙トレイ５１（トレイＢ及びトレイＣ）に対応する着脱フラグ６２の値が、「１」となっていないと判断することにより、トレイ５１Ａ以外のすべての給紙トレイ５１が、装置本体に対して脱離されていないと判断する場合（Ｓ１１５：ＮＯ）、ＣＰＵ３１は、設定画面４５Ａの表示を消去するまでの時間を、初期設定の時間のままとして、計時を開始する（Ｓ１２０）。Ｓ１２０の処理の後、ＣＰＵ３１は、トレイ５１Ａが脱離状態に変化したことにより設定画面４５Ａの表示を行うべきであるか否かを判断するＳ１００の処理に戻る。なお、設定画面４５Ａの表示を消去するまでの時間の計時を開始した後、計時開始フラグ６８Ａの値を「０」に変更する。
【００９４】
一方、トレイ５１Ａ以外の少なくとも１つの給紙トレイ５１に対応する着脱フラグ６２の値が、「１」となっていると判断することにより、トレイ５１Ａ以外の少なくとも１つの給紙トレイ５１が、装置本体に対して脱離されていると判断する場合（Ｓ１１５：ＹＥＳ）、ＣＰＵ３１は、設定画面４５の表示を消去するまでの時間を、初期設定から３０秒延長した時間として、計時を開始する（Ｓ１２５）。すなわち、トレイ５１Ａ以外の少なくとも１つの給紙トレイ５１が装置本体に対して脱離されていることから、トレイ５１Ａに対応する設定画面４５Ａ以外に、脱離されている給紙トレイ５１に対応する設定画面４５が表示されていると考えられる。このような状況においては、設定画面４５Ａが、設定画面４５Ａ以外の設定画面４５に隠れていたり、或いはユーザが、設定画面４５Ａ以外の設定画面４５について確認や設定等の操作を行っていたりする可能性が有る。この状態で設定画面４５Ａについて表示を消去するまでの時間の計時を通常通り開始すると、ユーザが設定画面４５Ａについて確認や設定等を行う前に消去されてしまう可能性がある。したがって、設定画面４５Ａの表示を消去するまでの時間を長くすることによって、設定画面４５Ａを表示する表示時間を長くし、ユーザが確認や設定等を行う前に消去されてしまう可能性を低減する。なお、設定画面４５Ａの表示を消去するまでの時間を長くするだけではなく、表示を消去するまでの時間の計時の開始を所定時間遅らせるような構成であってもよい。また、表示を消去するまでの時間の計時の開始を、脱離状態であるすべての給紙トレイ５１が装着状態となるまで遅らせる構成であってもよい。すなわち、設定画面４５Ａを表示する表示時間を長くするような処理であれば何でも良い。Ｓ１２５の処理の後、ＣＰＵ３１は、トレイ５１Ａが脱離状態に変化したことにより設定画面４５Ａの表示を行うべきであるか否かを判断するＳ１００の処理に戻る。なお、表示を消去するまでの時間の計時を開始した後、計時開始フラグ６８Ａを「０」に変更する。
【００９５】
トレイ５１Ａに状態の変化が生じ、設定画面４５Ａの表示を行うべきであると判断する場合に（Ｓ１００：ＹＥＳ）、トレイ５１Ａに対応する設定画面４５Ａを操作パネル４０へ表示するＳ１０５の処理は、本発明の表示処理の一例である。
【００９６】
また、前述のように、設定画面４５Ａの表示中には、用紙Ｓの種類に関してユーザから設定を受け付けることができるが、この処理は、本発明の設定処理の一例である。
【００９７】
また、設定画面４５ＡをＳ１０５で表示したのち、計測部８０によって計時を開始するＳ１２０、Ｓ１２５の処理は、本発明の計時処理の一例である。
【００９８】
また、前述のように、計測部８０によって一定時間計時を行ったのち、設定画面４５Ａを操作パネル４０から消去する処理は、本発明の消去処理の一例である。
【００９９】
また、各給紙トレイ５１についてそれぞれ設定画面表示処理を行っているため、トレイ５１Ａ以外の給紙トレイ５１に対応する着脱フラグ６２の値が「１」となっている場合には、トレイ５１Ａ以外の給紙トレイ５１に対応する設定画面４５が操作パネル４０に表示される。この処理は、本発明の第２の表示処理の一例である。
【０１００】
また、設定画面４５ＡがＳ１０５で表示された後、特に、設定画面４５Ａを消去するまでの時間の計時を開始するタイミングとなることにより（Ｓ１１０：ＹＥＳ）、用紙Ｓの本体筐体１１０への着脱に関する状態の変化が生じているかどうか、特に、トレイ５１Ａ以外の少なくとも１つの給紙トレイ５１が脱離状態か否か、ひいては、トレイ５１Ａ以外の少なくとも１つの給紙トレイ５１に対応する設定画面４５の表示が行われているかどうかを判断し（Ｓ１１５）、用紙Ｓの着脱に関する状態の変化が生じていると判断する場合（Ｓ１１５：ＹＥＳ）、用紙Ｓの着脱に関する状態の変化が生じていないと判断する場合（Ｓ１１５：ＮＯ、Ｓ１２０）よりも、設定画面４５Ａを消去するまでの時間を長くする（Ｓ１２５）ことで、設定画面４５Ａを表示する時間を長くする一連の処理は、本発明の遅延処理の一例である。
【０１０１】
なお、本実施例においては、トレイ５１Ａ以外の給紙トレイ５１に対応する表示情報４５が表示されているか否かを判断するＳ１１５の処理において、トレイ５１Ｂ及びトレイ５１Ｃについて判断していたが、ＭＰトレイ５１Ｄ（第２の給紙部の一例）に対応する表示情報４５Ｄが表示されているか否かも判断する構成であってもよい。この場合、Ｓ１１５においては着脱フラグ６２の値が「１」であるか否かの判断に加えて、例えば、用紙有無フラグ６５Ｄの値が「１」となっており、かつ、用紙有無フラグ６５Ｄの値が「０」から「１」に応じた値に変化してから、すなわち、設定画面４５Ｄを消去するまでの時間の計時が開始されてから、消去するまでの時間内であるか否かを判断することによって、設定画面４５Ｄが操作パネル４０に表示されているか否かを判断できる。
【０１０２】
＜作用効果＞
本実施例によれば、設定画面４５Ａの表示中に、トレイ５１Ａ以外の給紙トレイ５１に対応する設定画面４５が表示中である場合には、設定画面４５Ａを表示する時間を長くする。すなわち、複数の設定画面４５が表示される場合、ユーザが、設定画面４５Ａを確認や設定等していない可能性があるとして、設定画面４５Ａの表示時間を延長することができる。したがって、複数の設定画面４５が表示中である場合にも、設定画面４５についてユーザが確認や設定等する際の利便性を向上できる。
【０１０３】
また、異なる設定画面４５の少なくとも一部が重なって表示される構成において、設定画面４５Ａの表示中に、トレイ５１Ａ以外の給紙トレイ５１に対応する設定画面４５が表示中である場合には、設定画面４５Ａを表示する時間を長くする。すなわち、設定画面４５の少なくとも一部が重なって表示される場合、ユーザが、設定画面４５Ａを確認や設定等していない可能性があるとして、設定画面４５Ａの表示時間を延長することができる。したがって、異なる設定画面４５の少なくとも一部が重なって表示される構成において、設定画面４５についてユーザが確認や設定等する際の利便性を向上できる。
【０１０４】
また、給紙トレイ５１が脱離状態に変化することにより、設定画面４５を表示する構成において、設定画面４５について、ユーザが確認や設定等する際の利便性を向上できる。
【０１０５】
また、給紙トレイ５１が装着状態に変化した際に、設定画面４５を消去する時間までの計時を開始する構成において、設定画面４５について、ユーザが確認や設定等する際の利便性を向上できる。
【０１０６】
また、設定画面４５を消去するまでの計時を開始するタイミングにおいて、設定画面４５を表示する時間を長くする処理を実行する構成において、設定画面４５について、ユーザが確認や設定等する際の利便性を向上できる。
【０１０７】
また、設定画面４５を消去するまでの計時を開始するタイミングを遅らせることによって、設定画面４５を表示する時間を長くする構成において、設定画面４５について、ユーザが確認や設定等する際の利便性を向上できる。
【０１０８】
なお上記について、トレイ５１Ｂ、トレイ５１Ｃについても、トレイ５１Ａの場合と同様の効果を奏する。また、ＭＰトレイ５１Ｄについては、脱離状態及び装着状態に変化する際の効果を除き、トレイ５１Ａの場合と同様の効果を奏する。
【０１０９】
（第２実施例）
次に第２実施例を説明する。なお記載の無い点については、第１実施例と同一であるとする。
【０１１０】
第２実施例においては、トレイ５１Ａ以外の給紙トレイ５１については、用紙の種類を検知するセンサが備えられており、設定画面４５が操作パネル４０に表示されない構成であるとする。
【０１１１】
設定画面表示処理は、第２実施例においては、プリンタ１００の電源がＯＮされると、ＣＰＵ３１により、トレイ５１Ａについてのみ実行される。
【０１１２】
このような構成において、第２実施例においては、第１実施例と同様に、Ｓ１１５において、ＣＰＵ３１は、トレイ５１Ａ以外の少なくとも１つのトレイ５１Ａ、トレイ５１Ｂ、トレイ５１Ｃ、すなわちトレイ５１Ｂもしくはトレイ５１Ｃの少なくともいずれか一方（第２の給紙部）に対応する着脱フラグ６２の値が「１」となっているかを判断することにより、トレイ５１Ａ以外の少なくとも１つの給紙トレイ５１が、装置本体に対して脱離されているか否かを判断する（Ｓ１１５）。
【０１１３】
トレイ５１Ａ以外のすべての給紙トレイ５１に対応する着脱フラグ６２の値が、「１」となっていないと判断することにより、トレイ５１Ａ以外のすべての給紙トレイ５１が、装置本体に対して脱離されていないと判断する場合（Ｓ１１５：ＮＯ）、ＣＰＵ３１は、設定画面４５Ａの表示を消去するまでの時間を、初期設定の時間のままとして、計時を開始する（Ｓ１２０）。Ｓ１２０の処理の後、ＣＰＵ３１は、トレイ５１Ａが脱離状態に変化したことにより設定画面４５Ａの表示を行うべきであるか否かを判断するＳ１００の処理に戻る。
【０１１４】
一方、トレイ５１Ａ以外の少なくとも１つの給紙トレイ５１に対応する着脱フラグ６２の値が「１」となっていると判断することにより、トレイ５１Ａ以外の少なくとも１つの給紙トレイ５１が、装置本体に対して脱離されていると判断する場合（Ｓ１１５：ＹＥＳ）、ＣＰＵ３１は、設定画面４５の表示を消去するまでの時間を、初期設定から３０秒延長した時間として、タイムアウトの計時を開始する（Ｓ１２５）。すなわち、トレイ５１Ａ以外の少なくとも１つの給紙トレイ５１が装置本体に対して脱離されていることから、トレイ５１Ａ以外の少なくとも１つの給紙トレイ５１について、ユーザが用紙Ｓの供給を行うなどして、操作パネル４０自体に注目していない可能性が有る。この状態で設定画面４５Ａについて表示を消去するまでの時間の計時を通常通り開始すると、ユーザが設定画面４５Ａについて確認や設定等を行う前に消去されてしまう可能性がある。したがって、設定画面４５Ａの表示を消去するまでの時間を長くすることによって、設定画面４５Ａを表示する表示時間を長くし、ユーザが確認や設定等を行う前に消去されてしまう可能性を低減する。Ｓ１２５の処理の後、ＣＰＵ３１は、トレイ５１Ａが脱離状態に変化したことにより設定画面４５Ａの表示を行うべきであるか否かを判断するＳ１００の処理に戻る。
【０１１５】
設定画面４５ＡがＳ１０５で表示された後、特に、設定画面４５Ａを消去するまでの時間の計時を開始するタイミングとなることにより（Ｓ１１０：ＹＥＳ）、トレイ５１Ａ以外の給紙トレイ５１への、用紙Ｓの着脱に関する状態の変化が生じているかどうか、特に、トレイ５１Ａ以外の少なくとも１つの給紙トレイ５１が脱離状態か否かを判断し（Ｓ１１５）、用紙Ｓの着脱に関する状態の変化が生じていると判断する場合（Ｓ１１５：ＹＥＳ）、用紙Ｓの着脱に関する状態の変化が生じていないと判断する場合（Ｓ１１５：ＮＯ、Ｓ１２０）よりも、設定画面４５Ａを消去するまでの時間を長くする（Ｓ１２５）ことで、設定画面４５Ａを表示する時間を長くする一連の処理は、本発明の遅延処理の一例である。
【０１１６】
＜作用効果＞
本実施例によれば、設定画面４５Ａを表示中に、トレイ５１Ａと異なる給紙トレイ５１への用紙Ｓの着脱に関する状態の変化、特に、装着状態から脱離状態への変化を検知した場合には、設定画面４５を表示する時間を長くする。すなわち、ユーザがトレイ５１Ａ以外の給紙トレイ５１を脱離させ、用紙Ｓの着脱に関する動作を行っていることにより、設定画面４５Ａを確認や設定等していない可能性があるとして、設定画面４５Ａの表示時間を延長することができる。したがって、ユーザが、トレイ５１Ａ以外の給紙トレイ５１について用紙Ｓの着脱に関する動作を行っている場合においても、設定画面４５についてユーザが確認や設定等する際の利便性を向上できる。
【０１１７】
なお上記について、トレイ５１Ｂ、トレイ５１Ｃ及びＭＰトレイ５１Ｄについても、トレイ５１Ａの場合と同様の効果を奏する。
【０１１８】
（第３実施例）
次に図５及び図６を参照しつつ、第３実施例を説明する。なお記載の無い点については、第１実施例と同一であるとする。
【０１１９】
図５（ａ）は、脱離順序テーブルを表す概略的な図である。図５（ｂ）は、図５（ａ）と異なる脱離された順序の脱離順序テーブルを表す概略的な図である。
【０１２０】
図６は、プリンタ１００が行う、第１実施例とは異なる設定画面表示処理のフローチャートである。
【０１２１】
第３実施例においては、図５に示すような、脱離順序テーブルがＲＡＭ３３（記憶部の一例）に記憶されている。
【０１２２】
脱離順序テーブルは、各給紙トレイ５１に対応して、脱離された順序（表示順序の一例）および、消去するまでの時間の計時の開始状態、すなわち、タイムアウトの計時の開始状態が登録されている。
【０１２３】
脱離された順序は、各給紙トレイ５１に対応する画面表示フラグ６７が、「０」から、「１」に変化した際に更新される順序である。例えば、具体的に説明すると、図５（ａ）に示す順序においては、トレイ５１Ａが最も先に画面表示フラグ６７の値が「１」に変化したことにより１番であり、ＭＰトレイ５１Ｄが最も後に画面表示フラグ６７の値が「１」に変化したことにより４番である。この順序から、例えば、トレイ５１Ｃが再度脱離されると、画面表示フラグ６７Ｃの値が変化する。これによって、（ｂ）に示すように順序は、ＭＰトレイ５１Ｄが４番から３番となり、トレイ５１Ｃが３番から４番に更新される。
【０１２４】
また、タイムアウトの計時の開始状態は、表示された設定画面４５に対して、計時開始フラグ６８の値が「１」から「０」に変化することによって、未状態から済状態に更新される。また、設定画面４５について設定完了もしくは設定不要であるとして操作パネル４０によって消去を指示された場合にも未状態から済状態に更新される。また、新たに設定画面４５の表示がなされることによっても、済状態から未状態に更新される。
【０１２５】
第３実施例においては、新たに設定画面４５の表示がなされる場合には、既に表示されている設定画面４５の最も背面に表示される。特に、すでに設定画面４５が表示されている場合にも、再度設定画面４５を表示するような状態となった場合には、既に表示されている設定画面４５の最も背面に表示しなおされる。なお設定画面４５Ｘが設定画面４５Ｙの背面に表示されるとは、設定画面４５Ｘの上に少なくとも設定画面４５Ｙの一部が重なって表示されることを言うものとする。すなわち、図２において、設定画面４５Ａを設定画面４５Ｙ、設定画面４５Ｂを設定画面４５Ｘとした状況を言うものとする。また、設定画面４５Ｘが設定画面４５Ｙの前面に表示されるとは、設定画面４５Ｙの上に少なくとも設定画面４５Ｘの一部が重なって表示されることを言うものとする。すなわち、図２において、設定画面４５Ａを設定画面４５Ｘ、設定画面４５Ｂを設定画面４５Ｙとした状況を言うものとする。
【０１２６】
まず、ＣＰＵ３１は、Ｓ９５と同様に画面表示フラグ６７及び計時開始フラグ６８を初期化した後（Ｓ４００）、Ｓ１００等と同様に、画面表示フラグ６７Ａの値を参照することでトレイ５１Ａの脱離（或いはＭＰトレイ５１Ｄの場合には用紙Ｓの供給）がなされたかどうかを判断し（Ｓ５００）、脱離（或いは用紙Ｓの供給）がなされたと判断される場合（Ｓ５００：ＹＥＳ）、脱離順序テーブルに、トレイ５１Ａを順序を最後にして登録する（Ｓ５０２）。一方、脱離（或いは用紙Ｓの供給）がなされていないと判断する場合（Ｓ５００：ＮＯ）、Ｓ５１０の処理に移行する。
【０１２７】
Ｓ５０２の処理で、トレイ５１Ａを脱離順序テーブルに登録後、Ｓ１０５と同様に、トレイ５１Ａに対応する設定画面４５Ａを、操作パネル４０に既に表示されている設定画面４５があれば、それらの設定画面４５の最も背面に表示する（Ｓ５０５）。そして、Ｓ５１０に移行する。
【０１２８】
Ｓ５１０では、Ｓ１１０と同様に、計時開始フラグ６８Ａの値を参照することでトレイ５１Ａが装着（或いはＭＰトレイ５１Ｄの場合には用紙Ｓの供給）がされたかを判断することにより、設定画面４５Ａを消去するまでの時間の計時を開始すべきと判断されるか否かを判断する。
【０１２９】
Ｓ５１０において、トレイ５１Ａが装着（或いはＭＰトレイ５１Ｄの場合には用紙Ｓが供給）され、設定画面４５Ａを消去するまでの時間の計時を開始すべきと判断される場合（Ｓ５１０：ＹＥＳ）、脱離順序テーブルの脱離された順序において、トレイ５１Ａよりも順序が先の給紙トレイ５１が存在するか否かを判断することによって、設定画面４５Ａより先に表示がなされた設定画面４５があるかを判断する（Ｓ５１３）。すなわち、設定画面４５Ａの前面に表示されている設定画面４５が存在する可能性があるか否かを判断する。
【０１３０】
脱離順序テーブルの脱離された順序において、トレイ５１Ａよりも順序が先の給紙トレイ５１が存在すると判断することによって、設定画面４５Ａより先に表示がなされた設定画面４５がある可能性があると判断する場合（Ｓ５１３：ＹＥＳ）、設定画面４５Ａより先に表示がなされたすべての設定画面４５に対応する給紙トレイ５１に対応するタイムアウトの計時の開始状態が済状態であるか否かを判断することにより、設定画面４５Ａより先に表示がなされたすべての設定画面４５の、消去するまでの時間の計時が開始されたか否かを判断する（Ｓ５１７）。すなわち、設定画面４５Ａの前面に表示されている設定画面４５が存在する可能性があると判断するとして、設定画面４５Ａの前面に表示されている可能性のあるすべての設定画面４５を消去するまでの時間の計時が既に開始されているか否かを判断する。設定画面４５Ａより先に表示がなされたすべての設定画面４５に対応する給紙トレイ５１に対応するタイムアウトの計時の開始状態が済状態であると判断することにより、設定画面４５Ａより先に表示がなされたすべての設定画面４５の、消去するまでの時間の計時が開始されたと判断するまで（Ｓ５１７：ＮＯ）、Ｓ５１７の処理を続ける。
【０１３１】
設定画面４５Ａより先に表示がなされたすべての設定画面４５に対応する給紙トレイ５１に対応するタイムアウトの計時の開始状態が済状態であると判断することにより、設定画面４５Ａより先に表示がなされたすべての設定画面４５の、消去するまでの時間の計時が開始されたと判断する場合（Ｓ５１７：ＹＥＳ）、ＣＰＵ３１は、Ｓ１２０の処理と同様に、設定画面４５Ａを消去するまでの時間の計時を開始する（Ｓ５２０）。
【０１３２】
一方、脱離順序テーブルの脱離された順序において、トレイ５１Ａよりも順序が先の給紙トレイ５１が存在しないと判断することによって、設定画面４５Ａより先に表示がなされた可能性のある設定画面４５がないと判断する場合（Ｓ５１３：ＮＯ）も、ＣＰＵ３１は、Ｓ１２０の処理と同様に、設定画面４５Ａのタイムアウトの計時を開始する（Ｓ５２０）。すなわち、すべての給紙トレイ５１について、消去するまでの時間は同一であるため、設定画面４５Ａの前面に表示されている可能性のあるすべての設定画面４５よりも遅く設定画面４５Ａの計時を開始することで、前面に表示されている可能性のある設定画面４５が消去される時間よりも長く、設定画面４５Ａの表示を行うように、設定画面４５Ａの表示時間を長くすることができる。
【０１３３】
一方、Ｓ５１０において、トレイ５１Ａが装着（或いはＭＰトレイ５１Ｄの場合には用紙Ｓが供給）されておらず、消去するまでの時間の計時を開始すべきでないと判断される場合（Ｓ５１０：ＮＯ）、ＣＰＵ３１は、トレイ５１Ａが脱離状態に変化した（或いはＭＰトレイ５１Ｄの場合には用紙供給されたこと）により設定画面４５Ａの表示を行うべきであるか否かを判断するＳ５００の処理に戻る。
【０１３４】
ＣＰＵ３１が、脱離順序テーブルの脱離された順序において、トレイ５１Ａよりも順序が先の給紙トレイ５１が存在するか否かを判断することによって、設定画面４５Ａの前面に設定画面４５が表示されているか否かを判断し（Ｓ５１３）、設定画面４５Ａの前面に設定画面４５が表示されていると判断する場合（Ｓ５１３：ＹＥＳ）、すべての給紙トレイ５１について消去するまでの時間は同一であるため、設定画面４５Ａの前面に表示されている設定画面４５よりも遅く設定画面４５Ａの計時を開始する（Ｓ５１７、Ｓ５２０）ことで、前面に表示されている設定画面４５が消去される時間よりも長く、設定画面４５Ａの表示を行うように、設定画面４５Ａの表示時間を長くする一連の処理は、本発明の遅延処理の一例である。また、この設定画面表示処理をすべての給紙トレイ５１に適用することで、前面に表示されている設定画面４５から順番に消去するまでの時間の計時を開始することになり、設定画面４５Ａよりも背面に表示されている設定画面４５に対して、設定画面４５Ａは早く消去されるように消去するまでの時間の計時を開始することとなる。
【０１３５】
なお、第３実施例においては、新たに設定画面４５の表示がなされる場合には、既に表示されている設定画面４５の最も背面に表示されるものとしたが、新たに設定画面４５の表示がなされる場合には、既に表示されている設定画面４５の最も前面に表示されるものであってもよい。この場合ＣＰＵ３１は、Ｓ５１３の処理において、脱離順序テーブルの脱離された順序において、トレイ５１Ａよりも順序が後の給紙トレイ５１が存在するか否かを判断することによって、設定画面４５Ａの前面に設定画面４５が表示されているか否かを判断すればよい。
【０１３６】
なお、ＣＰＵ３１が、設定画面４５Ａの前面に設定画面４５が表示されていると判断する場合（Ｓ５１３：ＹＥＳ）、設定画面４５Ａの前面に表示されている設定画面４５よりも遅く設定画面４５Ａの計時を開始する（Ｓ５１７、Ｓ５２０）代わりに、所定時間（例えば３０秒）消去される時間の計時の開始を遅らせるような構成等であってもよい。このようにした場合には、前面に表示されている設定画面４５が消去される時間よりも長く設定画面４５Ａの表示が行われるとは限らないが、設定画面４５Ａの表示時間を長くすることができる。
【０１３７】
＜作用効果＞
本実施例によれば、設定画面４５Ａが他の設定画面４５に隠れてしまう場合においては、設定画面４５Ａを、前面に表示された設定画面４５よりも後に消去されるように表示時間を延長する。これによって、設定画面４５Ａが前面に表示され得る時間を設けることができる。したがって、前面に他の設定画面４５が表示されている設定画面４５について、ユーザが確認や設定等する際の利便性を向上できる。
【０１３８】
また、設定画面４５Ａが他の設定画面４５を隠してしまう場合においては、他の設定画面４５よりも、早く消去されるように表示時間を延長する。すなわち、隠してしまう設定画面４５がユーザが確認や設定等する前に消去されてしまう可能性を低減しつつ、設定画面４５Ａについて、ユーザが確認や設定等する前に消去されてしまう可能性を低減することができる。したがって、背面に他の設定画面４５が表示されている設定画面４５について、ユーザが確認や設定等する際の利便性を向上できる。
【０１３９】
また、新しく表示される設定画面４５ほど背面に表示する構成において、設定画面４５についてユーザが確認や設定等する際の利便性を向上できる。
【０１４０】
特に、設定画面４５Ａの表示順序を記憶、判断することによって、設定画面４５Ａが他の設定画面４５に隠れてしまう可能性があると判断される場合においては、設定画面４５Ａを、前面に表示された設定画面４５よりも後に消去されるように表示時間を延長する。したがって、表示順序の早さを考慮することによって、前面に設定画面４５が表示されていると判断される設定画面４５について、ユーザが確認や設定等する際の利便性を向上できる。
【０１４１】
なお上記について、トレイ５１Ｂ、トレイ５１Ｃ及びＭＰトレイ５１Ｄについても、トレイ５１Ａの場合と同様の効果を奏する。
【０１４２】
（その他の実施例）
（１）上記実施例においては、画像形成装置はプリンタ１００としたが、これに限られず、例えばインクジェットプリンタや、プリンタ機能に加えコピー機能およびＦＡＸ機能を備えた複合機等であってもよい。
【０１４３】
（２）上記実施例では１つのＣＰＵ３１により処理を実行する構成であったが、複数のＣＰＵ３１により処理を実行する構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみ、または、ＣＰＵ３１およびハード回路により処理を実行する構成でもよい。
【０１４４】
（３）上記実施例においては、着脱される部材の一例としての用紙Ｓの着脱を、第２のセンサとしての着脱センサ６１或いは用紙有無センサ６４がＣＰＵ３１に伝達する信号によって検知していた。そしてこのような構成によって、用紙の着脱に関する状態の変化が検知されると判断される場合には、用紙Ｓの着脱に関する状態の変化が検知されないと判断される場合よりも、用紙Ｓの着脱が検知された給紙トレイ５１以外の給紙トレイ５１に対応する設定画面４５を表示する時間を長くしていたが、着脱される部材と、第２のセンサは、用紙Ｓと、着脱センサ６１或いは用紙有無センサ６４に限られない。例えば、用紙Ｓに画像を形成するためのトナー（記録材の一例）を収容したトナーカートリッジ（格納容器の一例）を本体筐体１１０に対して着脱される部材とし、本体筐体１１０に設けられた、トナーカートリッジを収容する収容部（収容部の一例）のカバーの開閉を検知するセンサを第２のセンサとして、ＣＰＵ３１に伝達する信号によって、トナーカートリッジの着脱に関する状態の変化を検知する構成であってもよい。この構成においては、例えばカバーが開状態であることにより、ユーザがトナーカートリッジの交換に関する動作を行っている可能性があるとして、トナーカートリッジの着脱に関する状態の変化が検知されると判断されるとする。これによってトナーカートリッジの着脱に関する状態の変化が検知されると判断される場合には、トナーカートリッジの着脱に関する状態の変化が検知されないと判断される場合よりも、給紙トレイ５１に対応する設定画面４５を表示する時間を長くする。このようにすれば、ユーザがトナーカートリッジの交換に関する動作を行っていることにより、設定画面４５を確認や設定等していない可能性があるとして、設定画面４５の表示時間を延長することができる。したがって、設定画面４５についてユーザが確認や設定等する際の利便性を向上できる。なお、インクジェットプリンタ等においては、トナーカートリッジの代わりに、インクカートリッジでも良い。また例えば、第２のセンサを、設定画面表示処理を行っている給紙トレイ５１Ｘ（Ｘ：Ａ〜Ｄ）以外の給紙トレイ５１に対応する設定画面４５の操作を検知するセンサとして、ＣＰＵ３１に伝達する信号によって、用紙Ｓの着脱に関する状態の変化としての、給紙トレイ５１Ｘ以外の給紙トレイ５１の用紙Ｓの着脱に伴う設定画面４５の操作が検知されるような構成であってもよい。このような構成によって用紙Ｓの着脱に関する状態の変化としての、給紙トレイ５１Ｘ以外の給紙トレイ５１の用紙Ｓの着脱に伴う設定画面４５の操作が検知されると判断される場合には、給紙トレイ５１Ｘ以外の給紙トレイ５１の用紙Ｓの着脱に伴う設定画面４５の操作が検知されないと判断される場合よりも、給紙トレイ５１Ｘに対応する設定画面４５Ｘを表示する時間を長くする。このようにすれば、ユーザが給紙トレイ５１Ｘ以外の給紙トレイ５１の用紙Ｓの着脱に伴う設定画面４５の操作を行っていることにより、設定画面４５Ｘを確認や設定等していない可能性があるとして、設定画面４５Ｘの表示時間を延長することができる。したがって、設定画面４５についてユーザが確認や設定等する際の利便性を向上できる。
【０１４５】
（４）上記実施例においては、設定画面４５Ａを消去するまでの時間の計時を開始するタイミングとなることにより、条件に応じて、設定画面４５Ａを消去するまでの時間を長くしていたが、このようでなくてもよい。すなわち、設定画面４５Ａを消去するタイミング等、設定画面４５Ａを表示してから消去するまでの間の任意のタイミングに、条件に応じて、設定画面４５Ａを消去するまでの時間を長くする構成であればよい。また、設定画面４５Ａを消去するまでの時間を長くする処理を、１度だけでなく、複数回行う構成であってもよい。なお、トレイ５１Ａに限らず、トレイ５１Ｂ、トレイ５１Ｃ及びＭＰトレイ５１Ｄについても同様である。
【０１４６】
（５）上記実施例においては、給紙部は、本体筐体１１０に対して着脱可能なトレイ５１Ａ、５１Ｂ、５１Ｃ、及びＭＰトレイ５１Ｄであったが、これに限られず、たとえば、ローラに用紙Ｓが突き当てられることにより先端のみを給紙することで用紙Ｓを保持する手差しトレイも給紙部としてもよい。手差しトレイにおいては、例えばローラの手前に用紙有無を検知するセンサを設けることにより、用紙無し及び用紙有りを検知し、ＭＰトレイ５１Ｄと同様の条件により判断を行う。
【符号の説明】
【０１４７】
３１  ＣＰＵ
４０  操作パネル
５１  給紙トレイ
６１  着脱センサ
６２  着脱フラグ
６４  用紙有無センサ
６５  用紙有無フラグ
６７  画面表示フラグ
６８  計時開始フラグ
【図１】
2015085523.tif 000003
【図２】
2015085523.tif 000004
【図３】
2015085523.tif 000005
【図４】
2015085523.tif 000006
【図５】
2015085523.tif 000007
【図６】
2015085523.tif 000008